(57)【特許請求の範囲】
【請求項１】
処理機本体と、
該処理機本体に着脱可能に装着される紙幣収納カセットと、
装着状態にある前記紙幣収納カセットを前記処理機本体にロックするロック機構と、
を備える紙幣処理機において、
前記紙幣収納カセットは、
前記装着状態で前記処理機本体から紙幣が送り込まれる開口部と、
前記開口部に送り込まれた紙幣を収納する収納部と、
前記開口部に送り込まれた紙幣を前記収納部に収納可能とする開口位置と前記開口部と前記収納部との間に介在する閉鎖位置との間で移動可能な開閉部材と、
前記開閉部材を前記閉鎖位置に位置させる規制位置と前記開閉部材を前記開口位置に位置させる規制解除位置との間で移動可能な規制部材と、
前記規制部材を前記規制位置の方向に付勢する付勢部材と、
を備え、
前記処理機本体は、
前記装着状態にある前記紙幣収納カセットの前記規制部材と係合して該規制部材を前記規制解除位置に位置させる規制解除部を備え、
前記収納部は、前記開口部に送り込まれた紙幣を収納する一次収納部と、該一次収納部に隣接する二次収納部とを備え、
前記開閉部材が、前記一次収納部の紙幣を前記二次収納部へ押し出すプッシャであることを特徴とする紙幣処理機。
【請求項２】
処理機本体と、
該処理機本体に着脱可能に装着される紙幣収納カセットと、
装着状態にある前記紙幣収納カセットを前記処理機本体にロックするロック機構と、
を備える紙幣処理機において、
前記紙幣収納カセットは、
前記装着状態で前記処理機本体から紙幣が送り込まれる開口部と、
前記開口部に送り込まれた紙幣を収納する収納部と、
前記開口部に送り込まれた紙幣を前記収納部に収納可能とする開口位置と前記開口部と前記収納部との間に介在する閉鎖位置との間で移動可能な開閉部材と、
前記開閉部材を前記閉鎖位置に位置させる規制位置と前記開閉部材を前記開口位置に位置させる規制解除位置との間で移動可能な規制部材と、
前記規制部材を前記規制位置の方向に付勢する付勢部材と、
を備え、
前記処理機本体は、
前記装着状態にある前記紙幣収納カセットの前記規制部材と係合して該規制部材を前記規制解除位置に位置させる規制解除部を備え、
前記紙幣収納カセットの前記処理機本体への装着方向と前記規制部材の移動方向とが一致しており、
前記規制位置にある前記規制部材は前記規制解除位置にある前記規制部材よりも前記紙幣収納カセットの前記処理機本体への装着方向先側に位置することを特徴とする紙幣処理機。
【請求項３】
処理機本体と、
該処理機本体に着脱可能に装着される紙幣収納カセットと、
装着状態にある前記紙幣収納カセットを前記処理機本体にロックするロック機構と、
を備える紙幣処理機において、
前記紙幣収納カセットは、
前記装着状態で前記処理機本体から紙幣が送り込まれる開口部と、
前記開口部に送り込まれた紙幣を収納する収納部と、
前記開口部に送り込まれた紙幣を前記収納部に収納可能とする開口位置と前記開口部と前記収納部との間に介在する閉鎖位置との間で移動可能な開閉部材と、
前記開閉部材を前記閉鎖位置に位置させる規制位置と前記開閉部材を前記開口位置に位置させる規制解除位置との間で移動可能な規制部材と、
前記規制部材を前記規制位置の方向に付勢する付勢部材と、
を備え、
前記処理機本体は、
前記装着状態にある前記紙幣収納カセットの前記規制部材と係合して該規制部材を前記規制解除位置に位置させる規制解除部を備え、
前記開閉部材は、前記収納部に収納された紙幣に沿う板状であって、前記紙幣収納カセット内で前記収納部の紙幣の集積方向に移動することを特徴とする紙幣処理機。
【発明の詳細な説明】
【技術分野】
【０００１】
本発明は、紙幣入出金機などの紙幣を取り扱う紙幣処理機に関する。
【背景技術】
【０００２】
紙幣入出金機などの紙幣を取り扱う紙幣処理機において、処理機本体から取り外された紙幣収納用カセットのセキュリティ対策として、紙幣収納用カセットの処理機本体への接続用の開口部から内部へのアクセスをシャッタで規制する技術がある（例えば、特許文献１参照）。
【先行技術文献】
【特許文献】
【０００３】
【特許文献１】特許第４７４３９８１号公報
【発明の概要】
【発明が解決しようとする課題】
【０００４】
上記の技術では、紙幣収納用カセットの取り出しは、その開口部が閉まっていなければできない仕組みとなっているが、開口部のシャッタは手動で閉めなければならず操作が煩わしい。また、紙幣収納用カセットを処理機本体に装着した場合に、このシャッタを手動で開ける必要があり操作が煩わしい。
【０００５】
したがって、本発明は、面倒な作業を伴わずにセキュリティ性を向上させることができる紙幣処理機の提供を目的とする。
【課題を解決するための手段】
【０００６】
上記目的を達成するために、請求項１から３に係る発明は、処理機本体と、該処理機本体に着脱可能に装着される紙幣収納カセットと、装着状態にある前記紙幣収納カセットを前記処理機本体にロックするロック機構と、を備える紙幣処理機において、前記紙幣収納カセットは、前記装着状態で前記処理機本体から紙幣が送り込まれる開口部と、前記開口部に送り込まれた紙幣を収納する収納部と、前記開口部に送り込まれた紙幣を前記収納部に収納可能とする開口位置と前記開口部と前記収納部との間に介在する閉鎖位置との間で移動可能な開閉部材と、前記開閉部材を前記閉鎖位置に位置させる規制位置と前記開閉部材を前記開口位置に位置させる規制解除位置との間で移動可能な規制部材と、前記規制部材を前記規制位置の方向に付勢する付勢部材と、を備え、前記処理機本体は、前記装着状態にある前記紙幣収納カセットの前記規制部材と係合して該規制部材を前記規制解除位置に位置させる規制解除部を備えていることを特徴とする。
【０００７】
請求項１に係る発明は、前記収納部は、前記開口部に送り込まれた紙幣を収納する一次収納部と、該一次収納部に隣接する二次収納部とを備え、前記開閉部材が、前記一次収納部の紙幣を前記二次収納部へ押し出すプッシャであることを特徴とする。
【０００８】
請求項２に係る発明は、前記紙幣収納カセットの前記処理機本体への装着方向と前記規制部材の移動方向とが一致しており、前記規制位置にある前記規制部材は前記規制解除位置にある前記規制部材よりも前記紙幣収納カセットの前記処理機本体への装着方向先側に位置することを特徴とする。
請求項３に係る発明は、前記開閉部材が、前記収納部に収納された紙幣に沿う板状であって、前記紙幣収納カセット内で前記収納部の紙幣の集積方向に移動することを特徴とする。
【発明の効果】
【０００９】
請求項１から３に係る発明によれば、処理機本体から紙幣収納カセットを取り外すと、規制部材が付勢部材の付勢力によって規制位置に位置することになり、その結果、開閉部材が開口部と収納部との間に介在する閉鎖位置に位置して、開口部から収納部の目視およびアクセスを困難にする。また、処理機本体に紙幣収納カセットを装着すると、この装着動作に連動して処理機本体の規制解除部が、規制部材を付勢部材の付勢力に抗して規制解除位置に位置させることになり、その結果、開閉部材が、開口部に送り込まれた紙幣を収納部に収納可能とする開口位置に位置して、処理機本体から収納部への紙幣の収納を可能とする。よって、紙幣収納カセットは、処理機本体からの取り外し操作を行えば自動的に開口部から収納部へのアクセスを規制する状態になり、処理機本体への装着操作を行えば自動的に開口部から収納部へのアクセス規制を解除する状態になる。よって、開口部から収納部へのアクセスの規制および規制の解除のためだけの操作を不要にできる。したがって、面倒な作業を伴わずにセキュリティ性を向上させることができる。
【００１０】
請求項１に係る発明によれば、開閉部材が、一次収納部の紙幣を二次収納部へ押し出すプッシャであるため、開口部から収納部へのアクセス規制のためだけに必要な部品の点数を低減することができる。したがって、コスト増を抑制することができる。
【００１１】
請求項２に係る発明によれば、紙幣収納カセットの処理機本体への装着方向と規制部材の移動方向とが一致しており、規制位置にある規制部材は規制解除位置にある規制部材よりも紙幣収納カセットの処理機本体への装着方向先側に位置するため、紙幣収納カセットを処理機本体へ装着する操作で、付勢部材の付勢力に抗して規制部材を規制解除位置に移動させることができ、開閉部材を開口位置に位置させることができる。また、ロック機構による紙幣収納カセットの処理機本体へのロックを解除すれば、付勢部材が規制部材を規制位置に向け移動させることになり、開閉部材が閉鎖位置に位置して開口部から収納部へのアクセスを規制する状態になるとともに、付勢部材が付勢力で規制部材を介して紙幣収納カセットを処理機本体に対し取り外し方向に移動させることになる。紙幣収納カセットが処理機本体に対し取り外し方向に移動することで、紙幣収納カセットが取り外し可能な状態にあることを操作者に認識させることができる。
【図面の簡単な説明】
【００１２】
【図１】本発明の一実施形態に係る紙幣処理機を示す斜視図である。
【図２】本発明の一実施形態に係る紙幣処理機の内部構成を概略的に示す平面図である。
【図３】本発明の一実施形態に係る紙幣処理機を含むＰＯＳレジシステムの制御系のブロック図である。
【図４】本発明の一実施形態に係る紙幣処理機の筐体から引出体が引き出された状態を示す部分斜視図である。
【図５】本発明の一実施形態に係る紙幣処理機の筐体から引出体が引き出されカセットのロックが解除された状態を示す部分斜視図である。
【図６】本発明の一実施形態に係る紙幣処理機の要部を示すいずれもロック側状態にある第１ロック部および第２ロック部を示す側面図である。
【図７】本発明の一実施形態に係る紙幣処理機の要部を示す解除側状態にある第１ロック部およびロック側状態にある第２ロック部を示す側面図である。
【図８】本発明の一実施形態に係る紙幣処理機の要部を示すいずれも解除側状態にある第１ロック部および第２ロック部を示す側面図である。
【図９】本発明の一実施形態に係る紙幣処理機の通常状態にある強制ロック解除部を示す斜視図である。
【図１０】本発明の一実施形態に係る紙幣処理機の強制ロック解除状態にある強制ロック解除部を示す斜視図である。
【図１１】本発明の一実施形態に係る紙幣処理機のカセットを後方から見た斜視図である。
【図１２】本発明の一実施形態に係る紙幣処理機のカセットを前方から見た斜視図である。
【図１３】本発明の一実施形態に係る紙幣処理機のカセットを示す斜視図であって、（ａ）はプッシャが閉鎖位置にある状態を、（ｂ）はプッシャが開口位置にある状態をそれぞれ示すものである。
【図１４】本発明の一実施形態に係る紙幣処理機のカセットの処理機本体への装着状態を示す平断面図である。
【図１５】本発明の一実施形態に係る紙幣処理機のカセットの後壁部、プッシャおよびプッシャリンク等を示す斜視図である。
【図１６】本発明の一実施形態に係る紙幣処理機のカセットの処理機本体への装着状態を示す斜視断面図である。
【図１７】本発明の一実施形態に係る紙幣処理機のカセットを概略的に示す側面図であって、（ａ）はプッシャが開口位置にある状態を、（ｂ）は一次収納部に紙幣を収納した状態を、（ｃ）はプッシャが二次収納部に紙幣を押し込んだ状態を、（ｄ）は二次収納部に紙幣を収納した状態を、それぞれ示すものである。
【図１８】本発明の一実施形態に係る紙幣処理機のカセットを後方から見た図であって、（ａ）は規制部材が規制位置にある状態を、（ｂ）は規制部材が規制解除位置にある状態を、それぞれ示すものである。
【図１９】本発明の一実施形態に係る紙幣処理機のカセットを示すプッシャが閉鎖位置にある状態を示す平断面図である。
【発明を実施するための形態】
【００１３】
本発明に係る紙幣処理機の一実施形態を図面を参照して以下に説明する。
【００１４】
図１に示す本実施形態の紙幣処理機１１は、紙幣Ｂを入出金させる紙幣入出金機である。紙幣処理機としては紙幣を出金させずに入金のみ行う紙幣入金機であっても良い。紙幣処理機１１は、略直方体の外観形状となっている。この紙幣処理機１１は、最も短い辺部を高さ方向に配し、次に短い中間長さの辺部を幅方向（左右方向）に配し、最も長い辺部を奥行方向（前後方向）に配して設置され使用される。なお、紙幣処理機１１の奥行方向を機体前後方向とし、その操作者側を機体前側、操作者とは反対側を機体後側とする。また、操作者から見て左右方向を機体左右方向とし、操作者から見て左側を機体左側、操作者から見て右側を機体右側とする。
【００１５】
紙幣処理機１１には、機体前側の前面１２の近傍に入金部１５が設けられている。入金部１５には、一枚あるいは集積状態の紙幣Ｂが機外から上端開口部１５ａを介して挿入される。また、この入金部１５の機体後側に隣り合って、機内から紙幣Ｂが繰り出され、繰り出された紙幣Ｂが上端開口部１６ａから取り出し可能となる出金部１６が設けられている。
【００１６】
紙幣処理機１１の内部には、図２に示すように、機体前側から順に、入金部１５、出金部１６、紙幣Ｂを収納可能な着脱式のカセット１８（紙幣収納カセット）、部品配置スペース１９、紙幣Ｂを収納するとともに収納した紙幣Ｂを出金部１６に出金させる複数具体的には三つの着脱不可な還流庫２０、還流庫２１、還流庫２２、出金リジェクト紙幣を収納する着脱不可な出金リジェクト庫２３が設けられている。カセット１８は還流庫２０〜２２からの紙幣Ｂを収納可能となっている。
【００１７】
入金部１５、出金部１６、カセット１８、還流庫２０、還流庫２１、還流庫２２および出金リジェクト庫２３は、いずれも機体左右方向に長い横長の形状をなしており、すべて、長辺が上端および下端で機体左右方向に沿う姿勢の紙幣Ｂを受け入れるようになっている。言い換えれば、これらの入金部１５、出金部１６、カセット１８、還流庫２０〜２２および出金リジェクト庫２３は、受け入れた紙幣Ｂの厚さ方向が同方向となるようにしてこの方向（機体前後方向と一致）に並設されている。
【００１８】
上記した入金部１５、出金部１６、カセット１８、還流庫２０〜２２および出金リジェクト庫２３は、紙幣処理機１１の内部の機体左右方向における一側（具体的には機体右側）に寄せられて設けられており、これにより紙幣処理機１１の内部の機体左右方向逆側（具体的には機体左側）にはスペースが形成されている。このスペースに、これら入金部１５、出金部１６、カセット１８、還流庫２０〜２２および出金リジェクト庫２３を接続させて紙幣Ｂのやり取りを行う搬送部２７が配置されている。なお、この搬送部２７も紙幣Ｂを常に長辺が上端および下端となる姿勢で搬送する。
【００１９】
搬送部２７は、最も前面１２側の入金部１５と最も前面１２とは反対側の出金リジェクト庫２３とを結ぶ主搬送路２８と、主搬送路２８の出金部１６の近傍から分岐して出金部１６に接続される分岐搬送路２９と、主搬送路２８のカセット１８の近傍から分岐してカセット１８に接続される分岐搬送路３０と、主搬送路２８の還流庫２０の近傍から分岐して還流庫２０に接続される分岐搬送路３２と、主搬送路２８の還流庫２１の近傍から分岐して還流庫２１に接続される分岐搬送路３３と、主搬送路２８の還流庫２２の近傍から分岐して還流庫２２に接続される分岐搬送路３４と、を有している。
【００２０】
主搬送路２８は、入金部１５の前面１２側と、出金リジェクト庫２３の前面１２側とに接続されている。分岐搬送路２９は出金部１６の前面１２側に、分岐搬送路３０はカセット１８の前面１２とは反対側に、分岐搬送路３２は還流庫２０の前面１２とは反対側に、分岐搬送路３３は還流庫２１の前面１２とは反対側に、分岐搬送路３４は還流庫２２の前面１２とは反対側に、それぞれ接続されている。
【００２１】
また、搬送部２７は、主搬送路２８を介して還流庫２０〜２２側から搬送されてきた紙幣Ｂを、駆動状態で分岐搬送路２９に案内して出金部１６に搬送させる一方、非駆動状態ではそのまま主搬送路２８で搬送させる振分部２９Ｇと、分岐搬送路２９の紙幣Ｂを検知する紙幣検知センサ２９Ｓとを有している。分岐搬送路２９は、出金部１６に向けて回転して紙幣Ｂを出金部１６に送り込むローラ対２９Ｒを有している。
【００２２】
また、搬送部２７は、主搬送路２８を介して還流庫２０〜２２側から搬送されてきた紙幣Ｂを、駆動状態で分岐搬送路３０に案内してカセット１８に搬送させる一方、非駆動状態ではそのまま主搬送路２８で搬送させる振分部３０Ｇと、分岐搬送路３０の紙幣Ｂを検知する紙幣検知センサ３０Ｓとを有している。分岐搬送路３０は、カセット１８に向けて回転して紙幣Ｂをカセット１８に送り込むローラ対３０Ｒを有している。
【００２３】
また、搬送部２７は、主搬送路２８を介して入金部１５側から搬送されてきた紙幣Ｂを、駆動状態で分岐搬送路３２に案内して還流庫２０に搬送させる一方、非駆動状態ではそのまま主搬送路２８で搬送させる振分部３２Ｇと、分岐搬送路３２の紙幣Ｂを検知する紙幣検知センサ３２Ｓとを有している。分岐搬送路３２は、還流庫２０に向けて回転して紙幣Ｂを還流庫２０に送り込むローラ３２Ｒａ，３２Ｒｂを有している。還流庫２０には、ローラ３２Ｒａ，３２Ｒｂに向けて紙幣Ｂを蹴り出す蹴出ローラ２０Ｒが設けられている。一方のローラ３２Ｒａは、還流庫２０から紙幣Ｂを繰り出す際に回転し、他方のローラ３２Ｒｂは、還流庫２０から紙幣Ｂを繰り出す際には停止して紙幣Ｂを一枚ずつに分離する。
【００２４】
また、搬送部２７は、主搬送路２８を介して入金部１５側から搬送されてきた紙幣Ｂを、駆動状態で分岐搬送路３３に案内して還流庫２１に搬送させる一方、非駆動状態ではそのまま主搬送路２８で搬送させる振分部３３Ｇと、分岐搬送路３３の紙幣Ｂを検知する紙幣検知センサ３３Ｓとを有している。分岐搬送路３３は、還流庫２１に向けて回転して紙幣Ｂを還流庫２１に送り込むローラ３３Ｒａ，３３Ｒｂを有している。還流庫２１には、ローラ３３Ｒａ，３３Ｒｂに向けて紙幣Ｂを蹴り出す蹴出ローラ２１Ｒが設けられている。一方のローラ３３Ｒａは、還流庫２１から紙幣Ｂを繰り出す際に回転し、他方のローラ３３Ｒｂは、還流庫２１から紙幣Ｂを繰り出す際には停止して紙幣Ｂを一枚ずつに分離する。
【００２５】
また、搬送部２７は、主搬送路２８を介して入金部１５側から搬送されてきた紙幣Ｂを、駆動状態で分岐搬送路３４に案内して還流庫２２に搬送させる一方、非駆動状態ではそのまま主搬送路２８で搬送させる振分部３４Ｇと、分岐搬送路３４の紙幣Ｂを検知する紙幣検知センサ３４Ｓとを有している。分岐搬送路３４は、還流庫２２に向けて回転して紙幣Ｂを還流庫２２に送り込むローラ３４Ｒａ，３４Ｒｂを有している。還流庫２２には、ローラ３４Ｒａ，３４Ｒｂに向けて紙幣Ｂを蹴り出す蹴出ローラ２２Ｒが設けられている。一方のローラ３４Ｒａは、還流庫２２から紙幣Ｂを繰り出す際に回転し、他方のローラ３４Ｒｂは、還流庫２２から紙幣Ｂを繰り出す際には停止して紙幣Ｂを一枚ずつに分離する。
【００２６】
入金部１５は、主搬送路２８に向けて紙幣Ｂを蹴り出す蹴出ローラ１５Ｒａと、蹴出ローラ１５Ｒａで蹴り出された紙幣Ｂを主搬送路２８に繰り出す繰出ローラ１５Ｒｂと、繰出ローラ１５Ｒｂで繰り出される紙幣Ｂを、停止することにより一枚ずつに分離する分離ローラ１５Ｒｃとを有している。入金部１５には、挿入された紙幣Ｂを検知する紙幣検知センサ１５Ｓが設けられている。蹴出ローラ１５Ｒａ、繰出ローラ１５Ｒｂおよび分離ローラ１５Ｒｃは、入金部１５に挿入された紙幣Ｂを機体左右方向一側（機体左側）の側方にある主搬送路２８に向けて繰り出す繰出機構３８を構成している。
【００２７】
主搬送路２８には、分岐搬送路２９，３０間に紙幣Ｂを識別する識別部４０が設けられている。主搬送路２８には、入金部１５の繰出ローラ１５Ｒｂおよび分離ローラ１５Ｒｃと分岐搬送路２９との間に搬送ローラ対Ｒ１が、分岐搬送路２９と識別部４０との間に搬送ローラ対Ｒ２が、識別部４０と分岐搬送路３０との間に搬送ローラ対Ｒ３が、分岐搬送路３０，３２間に、搬送ローラ対Ｒ４、搬送ローラ対Ｒ５および搬送ローラ対Ｒ６が、分岐搬送路３２，３３間に搬送ローラ対Ｒ７が、分岐搬送路３３，３４間に搬送ローラ対Ｒ８が、分岐搬送路３４と出金リジェクト庫２３との間に搬送ローラ対Ｒ９および搬送ローラ対Ｒ１０が、それぞれ設けられている。搬送ローラ対Ｒ１０は、出金リジェクト庫２３に紙幣Ｂを送り込む。
【００２８】
主搬送路２８には、入金部１５の繰出ローラ１５Ｒｂおよび分離ローラ１５Ｒｃと搬送ローラ対Ｒ１との間に、紙幣Ｂを検知する紙幣検知センサＳ１が、搬送ローラ対Ｒ９と搬送ローラ対Ｒ１０との間に、紙幣Ｂを検知する紙幣検知センサＳ２が設けられている。
【００２９】
搬送部２７には、主搬送路２８の搬送ローラ対Ｒ５および搬送ローラ対Ｒ６の間に、紙幣Ｂを検知するとともに紙幣Ｂの重送を検知する重送検知センサＳ３が、主搬送路２８の分岐搬送路３２と搬送ローラ対Ｒ７との間に、同様の重送検知センサＳ４が、主搬送路２８の分岐搬送路３３と搬送ローラ対Ｒ８との間に、同様の重送検知センサＳ５が、それぞれ設けられている。
【００３０】
上記した振分部２９Ｇ，３０Ｇ，３２Ｇ，３３Ｇ，３４Ｇは、通常は非駆動状態となっており、必要により電気的に駆動されて切り替えられる。
【００３１】
カセット１８と還流庫２０との間の部品配置スペース１９には、搬送部２７を駆動するための搬送メインモータ等が配置されている。
【００３２】
図１に示すように、紙幣処理機１１には、出金部１６の機体後側に、操作者に向け表示を行う表示部４１と、操作者による操作入力がなされる操作部４２とが設けられている。また、紙幣処理機１１には、入金部１５の機体左側に表示ランプ４３が設けられており、出金部１６の機体左側にも表示ランプ４４が設けられている。
【００３３】
図３に示すように、紙幣処理機１１は、上位機としてのＰＯＳレジ５０に硬貨入出金装置５１とともに接続されて売上金の入金および釣銭の出金等を行うものである。図示は略すが、紙幣処理機１１と硬貨入出金装置５１とは左右方向に並べられ、これらの上に、ＰＯＳレジ５０が設置されることになる。
【００３４】
ＰＯＳレジ５０は、操作者により操作入力がなされる入力操作部６０と、操作者に対して表示を行う入力表示部６１と、商品のバーコードを読み取るバーコード読取部６２と、ＩＤカードが走査されるとＩＤ情報を読み取るカード読取部６３と、商品の料金を表示させる料金表示部６４と、用紙に印字してレシートを発行するレシート印字部６５とを有している。ＰＯＳレジ５０は、これらと紙幣処理機１１と硬貨入出金装置５１とを制御する制御部６６を有している。
【００３５】
図１に示すように、紙幣処理機１１の前面１２には、キーシリンダ７１が設けられており、このキーシリンダ７１に別体のキー７２が差し込まれて回動操作されると、図４に示すように、筐体７５から引出体７６が引き出し可能となる。つまり、キーシリンダ７１は、筐体７５に押し込まれた状態の引出体７６を筐体７５にロックする図示略の筐体ロック機構のロックを解除する。紙幣処理機１１の前面１２には、筐体７５から引出体７６を引き出す際に操作者により把持される取っ手７７が設けられている。また、紙幣処理機１１には、筐体７５から引出体７６が所定位置まで引き出されると、これを検知する図示略の引出検知センサが設けられている。
【００３６】
ここで、引出体７６に、入金部１５、出金部１６、カセット１８、表示部４１および操作部４２と、図２に示す還流庫２０、還流庫２１、還流庫２２、出金リジェクト庫２３および搬送部２７等が設けられている。入金部１５、出金部１６、表示部４１および操作部４２は、図１に示すように引出体７６が筐体７５に押し込まれて図示略の筐体ロック機構でロックされた状態にあっても筐体７５に覆われることはなく露出し、図２に示すカセット１８、還流庫２０、還流庫２１、還流庫２２および出金リジェクト庫２３は、引出体７６が筐体７５に押し込まれて図示略の筐体ロック機構でロックされた押込状態にあるとき、筐体７５に覆われる位置に設けられている。カセット１８、還流庫２０、還流庫２１、還流庫２２および出金リジェクト庫２３のうちの少なくともカセット１８は、図４に示すように筐体７５から引出体７６が引き出された引出状態にあるとき、外部に露出する。
【００３７】
カセット１８は、外部に露出する状態で、引出体７６のカセット１８を除く部分である引出体本体部８０のカセット装着部８２に対し着脱可能となっている。言い換えれば、カセット１８は、外部に露出する状態で、紙幣処理機１１の引出体本体部８０と筐体７５とからなる処理機本体８１に対し着脱可能に装着されている。カセット１８は、図４および図５に示すように、引出体本体部８０のカセット装着部８２に対し水平左右方向にスライド可能となっている。カセット１８は、引出体本体部８０のカセット装着部８２から水平右側に引き抜かれて取り外されることになり、引出体本体部８０のカセット装着部８２に右側から水平に押し込まれて取り付けられることになる。
【００３８】
引出体本体部８０には、カセット１８がカセット装着部８２に押し込まれて所定の装着状態になるとカセット１８を引出体本体部８０にロックする一方、このロックを所定の操作が入力されることで解除するロック機構８４が、カセット１８よりも機体後側に隣接して設けられている。ロック機構８４は、図２に示す部品配置スペース１９に設けられている。
【００３９】
図６に示すように、ロック機構８４は、第１ロック部８５と第２ロック部８６とを有している。第１ロック部８５は、電気的に駆動されてロック側状態から解除側状態に切り替わるものであり、第２ロック部８６は、手動操作入力が行われるとロック側状態から解除側状態に切り替わるものである。
【００４０】
第１ロック部８５は、引出体本体部８０に位置固定で設けられたソレノイド本体９１と、ソレノイド本体９１から機体前側に突出しソレノイド本体９１に対して機体前後方向にスライドするプランジャ９２とを有するソレノイド９３と、引出体本体部８０に位置固定で設けられた支持軸９５と、この支持軸９５に上端部が回動可能に支持された規制体９６と、規制体９６の下部をプランジャ９２に回動可能に連結する連結軸９７とを有している。
【００４１】
ソレノイド９３は、電気的に駆動されていない状態では、プランジャ９２が、ソレノイド本体９１内の図示略の内部スプリングで付勢されてソレノイド本体９１から突出している。プランジャ９２が内部スプリングの付勢力でソレノイド本体９１から最も突出する状態にあるとき、図６に示すように規制体９６の下部を最も機体前側に位置させる。この状態が、第１ロック部８５のロック側状態となっている。
【００４２】
また、第１ロック部８５は、ソレノイド９３が電気的に駆動されると、プランジャ９２を内部スプリングの付勢力に抗してソレノイド本体９１内に引き込むことになり、これにより、規制体９６が支持軸９５を中心に回動して下部を機体後側に位置させる。図７に示すようにプランジャ９２をソレノイド本体９１内に最も引き込んだ状態が、第１ロック部８５の解除側状態となっている。これにより、第１ロック部８５は、電気的に駆動されてロック側状態から解除側状態に切り替わる。第１ロック部８５の規制体９６の機体後側の後部には、図６に示すようにロック側状態にあるとき、後述するように第２ロック部８６のロック側状態から解除側状態への切り替えを規制する規制片部９８が、支持軸９５と連結軸９７との間の連結軸９７の近傍に形成されている。
【００４３】
図８に示すように、第２ロック部８６は、引出体本体部８０内において機体前後方向に移動可能に設けられた係合部材１０１を有している。この係合部材１０１には、機体前後方向に長い長穴１０２が機体前側の前部に形成されている。第２ロック部８６は、規制体９６の支持軸９５と連結軸９７との間に固定されて長穴１０２に挿入される支持軸１０３と、引出体本体部８０に位置固定で設けられた支持軸１０４と、支持軸１０４に回動可能に支持されたクランク形状の支持部材１０５と、支持部材１０５の下端部に係合部材１０１の中間部を回動可能に連結させる連結軸１０６とを有している。
【００４４】
係合部材１０１は、長穴１０２に挿入された支持軸１０３と、支持部材１０５の連結軸１０６とによって、引出体本体部８０内で機体前後方向に移動可能となるように支持されている。この係合部材１０１は、機体前側の前部に、三角形状をなして上方に突出する突出部１１０を有しており、この突出部１１０には前下がりの傾斜上面１１１が形成されている。この係合部材１０１は、機体前側の前端部の係合部１１２が、カセット１８の後面に設けられた凹部１１４に係合して引出体本体部８０のカセット装着部８２にカセット１８をロックする。第２ロック部８６は、図６に示すように係合部材１０１を機体前側に付勢して係合部１１２の凹部１１４への係合状態を維持する係合スプリング１１５を有している。
【００４５】
第２ロック部８６は、図７および図８に示すように上下方向に移動可能に引出体本体部８０に設けられた係合解除部材１２１を有している。係合解除部材１２１は、その上端部に押圧操作が入力される操作ボタン部１２２が形成されており、その下部に上下方向に長い長穴１２３が形成されている。この長穴１２３に、支持軸９５とその下方の支持軸１０３とが挿入されており、係合解除部材１２１は、これら支持軸９５，１０３で長穴１２３が案内されて上下に移動する。係合解除部材１２１は、処理機右方に突出する三角形状の突出部１２５を有しており、この突出部１２５には前下がりの傾斜下面１２６が形成されている。
【００４６】
係合解除部材１２１には、図６に示すように第１ロック部８５がロック側状態にあるとき、その規制体９６の規制片部９８と水平方向の位置を重ね合わせる規制当接部１２８が機体後側の下端部に形成されている。ロック側状態にある第１ロック部８５の規制片部９８は、規制当接部１２８の鉛直下方にあり、よって、係合解除部材１２１は、操作ボタン部１２２が下方に押圧されると、規制当接部１２８がロック側状態にある第１ロック部８５の規制片部９８に当接する。これにより、係合解除部材１２１の下方への移動が規制される。係合解除部材１２１が、その規制当接部１２８を規制片部９８よりも上側に位置させる状態が第２ロック部８６のロック側状態となっている。
【００４７】
ソレノイド９３が電気的に駆動されて第１ロック部８５が解除側状態にあると、図７に示すように規制体９６の規制片部９８が機体後側に移動することになる。これにより、規制片部９８は、第２ロック部８６の係合解除部材１２１の規制当接部１２８の鉛直下方から水平方向においてずれる。この状態で、操作ボタン部１２２が下方に押圧されると、規制当接部１２８は規制片部９８に当接することがなく、よって、図８に示すように係合解除部材１２１が下降する。つまり、第１ロック部８５のソレノイド９３は、電気的に駆動されて規制体９６による係合解除部材１２１の移動規制を解除する。
【００４８】
第１ロック部８５が解除側状態にある状態で、操作ボタン部１２２が下方に押圧されて係合解除部材１２１が下方に移動すると、その突出部１２５の傾斜下面１２６が係合部材１０１の突出部１１０の傾斜上面１１１に当接してこれを下方に押圧する。すると、傾斜下面１２６および傾斜上面１１１の傾斜によって、係合部材１０１がカセット１８に対し機体後側に移動し、その係合部１１２がカセット１８の凹部１１４から抜け出す。これにより、ロック機構８４は、カセット１８の引出体本体部８０に対するロックを解除する。
【００４９】
つまり、ロック機構８４は、第１ロック部８５が電気的に駆動されて解除側状態にあり、操作ボタン部１２２が下方に押圧されて第２ロック部８６がロック側状態から解除側状態に切り替わると、処理機本体８１に対するカセット１８のロックを解除する。ロック機構８４は、第１ロック部８５がロック側状態にあるとき、第２ロック部８６のロック側状態から解除側状態への切り替えを規制する一方、第１ロック部８５が解除側状態にあるとき、第２ロック部８６のロック側状態から解除側状態への切り替えを許容する。
【００５０】
以上により、第２ロック部８６は、カセット１８に係合してカセット１８を処理機本体８１の引出体本体部８０にロックする移動可能な係合部材１０１と、手動操作入力である押圧操作がなされると移動し係合部材１０１を移動させて係合部材１０１のカセット１８への係合を解除しカセット１８の引出体本体部８０に対するロックを解除する係合解除部材１２１と、を有している。第１ロック部８５は、係合解除部材１２１の移動を規制する規制体９６と、電気的に駆動されて規制体９６による係合解除部材１２１の移動規制を解除するソレノイド９３と、を有している。
【００５１】
取り外したカセット１８を引出体本体部８０のカセット装着部８２に押し込むと、カセット１８が係合部１１２に当接して係合部材１０１を係合スプリング１１５の付勢力に抗して機体後側に移動させることになり、カセット１８が、凹部１１４の位置を係合部材１０１の係合部１１２に合わせる装着状態になると、係合部材１０１が係合スプリング１１５の付勢力で移動して係合部１１２を凹部１１４に入り込ませる。これにより、係合部材１０１がカセット１８をカセット装着部８２に移動不可にロックする。つまり、ロック機構８４は、引出体本体部８０のカセット装着部８２に対し装着状態にあるカセット１８を取り外し不可にロックする。ロック機構８４には、このように、カセット１８が引出体本体部８０のカセット装着部８２にロックされる装着位置まで押し込まれると、これを検知する図示略のカセット装着検知センサが設けられている。
【００５２】
ロック機構８４は、図９に示すように、キー１３１と、キー１３１が係合されると処理機本体８１の引出体本体部８０に対するカセット１８のロックを解除可能となる強制ロック解除部１３２とを有している。強制ロック解除部１３２は、図１０に示すようにキー１３１が係合されると回転可能となり、回転操作されると下部の押圧片部１３３を図９から図１０に示すように回転させるキーシリンダ１３４と、押圧片部１３３で押圧される上記した支持部材１０５とを有している。押圧片部１３３は支持部材１０５の上端の押圧当接部１３５の機体後側に位置しており、キー１３１が係合されて回転操作されると支持部材１０５の押圧当接部１３５に当接してこれを機体前側に移動させる。すると、支持部材１０５は、支持軸１０４を中心に回動して下部の連結軸１０６を機体後側に移動させることになり、この連結軸１０６に連結された係合部材１０１を機体後側に移動させて、その係合部１１２をカセット１８の凹部１１４から抜け出させる。これにより、ロック機構８４は、カセット１８の引出体本体部８０に対するロックを解除する。つまり、強制ロック解除部１３２は、キー１３１が係合されて回転操作されると係合部材１０１を移動させて係合部材１０１のカセット１８への係合を解除する。カセット１８の上部には、図５に示すように取っ手１３７が設けられている。
【００５３】
図１１，図１２に示すように、カセット１８は、その外側部分を構成する箱体１５１を有している。箱体１５１は、上部に水平に配置される矩形状の天井部１５２と、天井部１５２と平行をなして下部に配置される矩形状の図１３に示す底部１５３とを有しており、天井部１５２に取っ手１３７が設けられている。
【００５４】
また、箱体１５１は、天井部１５２と底部１５３とを繋いで鉛直に配置されるとともに開口部１５４が形成された矩形状の図１１に示す導入側壁部１５５と、導入側壁部１５５と平行に配置されて天井部１５２と底部１５３とを繋ぐ矩形状の図１２に示す壁部１５６とを有している。図１３に示すように、開口部１５４は、天井部１５２と底部１５３とを繋ぐように上下方向に延在しており、導入側壁部１５５の機体後部位置に形成されている。
【００５５】
また、箱体１５１は、天井部１５２と底部１５３とを繋ぎ導入側壁部１５５と壁部１５６とを開口部１５４から遠い側で繋いで鉛直に配置される図１２に示す前壁部１５７と、前壁部１５７と平行に配置されて天井部１５２と底部１５３とを図１１に示す開口部１５４に近い側で繋ぎ導入側壁部１５５と壁部１５６とを繋ぐ後壁部１５８とを有している。天井部１５２は後壁部１５８の上縁部にヒンジ結合されており、図１２に示す前壁部１５７に設けられたキーシリンダ１５９が図示略のキーで解錠されると、天井部１５２が揺動可能となり、箱体１５１内に収納している紙幣を取り出し可能となる。
【００５６】
カセット１８は、図１４に示すように引出体本体部８０のカセット装着部８２に対して導入側壁部１５５を先頭にして押し込まれることになる。カセット１８は、図１４に示すようにカセット装着部８２に装着状態にあり、図１に示すように引出体本体部８０が筐体７５に対し押込状態にあるとき、図２に示す処理機本体８１側の分岐搬送路３０の末端のローラ対３０Ｒに、図１４に示すように開口部１５４が近接して対向する。この状態で、カセット１８には、分岐搬送路３０からそのローラ対３０Ｒによって開口部１５４に紙幣が送り込まれることになる。
【００５７】
箱体１５１には、図１３に示すように、開口部１５４よりも後壁部１５８とは反対位置に、後壁部１５８と平行をなして天井部１５２から底部１５３側に突出する上部係止板部１６１と、後壁部１５８と平行をなして底部１５３から天井部１５２側に突出する下部係止板部１６２とを有している。上部係止板部１６１および下部係止板部１６２は同一平面に配置されている。
【００５８】
カセット１８には、上部係止板部１６１と後壁部１５８との間に、開口部１５４に送り込まれた紙幣を上部係止板部１６１とで挟持する板バネからなる上部挟持バネ１６４が設けられている。また、カセット１８には、下部係止板部１６２と後壁部１５８との間に、開口部１５４に送り込まれた紙幣を下部係止板部１６２とで挟持する板バネからなる下部挟持バネ１６５が設けられている。
【００５９】
図１４に示すように、カセット１８には、後壁部１５８の内側に、開口部１５４側に近接して支持軸１７１が箱体１５１に対して位置固定で設けられており、この支持軸１７１は、リンクアーム１７２の一端を回転可能に支持している。リンクアーム１７２の他端には、係合軸１７３がリンクアーム１７２に対し位置固定で設けられており、係合軸１７３は、板状のプッシャ１７４（開閉部材）に設けられた左右方向に長い長穴１７５に移動可能に係合されている。
【００６０】
図１５に示すように、プッシャ１７４には支持軸１８１がプッシャ１７４に対して位置固定で設けられており、この支持軸１８１はリンクアーム１８２の一端を回転可能に支持している。リンクアーム１８２の他端には、係合軸１８３がリンクアーム１８２に対し位置固定で設けられており、係合軸１８３は、後壁部１５８に設けられた左右方向に長い長穴１８５に移動可能に係合されている。
【００６１】
リンクアーム１７２，１８２はそれぞれの中間位置において連結軸１８８で回転可能に連結されている。連結軸１８８およびリンクアーム１７２，１８２を含むＸ字状のプッシャリンク１８９によって、プッシャ１７４は、後壁部１５８と平行をなした状態のまま後壁部１５８に対して近接および離間する。プッシャ１７４は、図示略のプッシャ付勢スプリングによって後壁部１５８に近接する方向に付勢されている。
【００６２】
図１１に示すように、後壁部１５８には、中央付近に挿入穴１９５が形成されており、挿入穴１９５の位置には、当接部材１９６が設けられている。当接部材１９６は、図１４に示すように連結軸１８８に連結されており、挿入穴１９５を介して進退する処理機本体８１に設けられた押圧機構１９７により押圧される。押圧機構１９７により当接部材１９６を介して連結軸１８８が押圧されると、プッシャリンク１８９は、図示略のプッシャ付勢スプリングの付勢力に抗してプッシャ１７４を後壁部１５８から離間する方向に移動させる。
【００６３】
図１１に示すように、後壁部１５８には凹部１１４が外面側に形成されている。凹部１１４は、図６に示すロック機構８４の係合部材１０１の係合部１１２を係合させる。また、図１１に示すように、後壁部１５８には、導入側壁部１５５と壁部１５６とを結ぶ方向に延在するガイド溝１９０が外面側に形成されている。このガイド溝１９０は、図１６に示すように、引出体本体部８０のカセット装着部８２に設けられた複数のガイド突起１９１を進入させることになる。複数のガイド突起１９１は、カセット１８のカセット装着部８２に対する水平左右方向のスライド以外での装着および取り外しを規制する。
【００６４】
図１５に示す支持軸１７１は、上部ガイド部材１９３と下部ガイド部材１９４とを回転可能に支持している。図１３に示すように、上部ガイド部材１９３は、プッシャ１７４よりも上方にあり、開口部１５４に送り込まれた紙幣を上部挟持バネ１６４と上部係止板部１６１との間に案内する。下部ガイド部材１９４は、プッシャ１７４よりも下方にあり、開口部１５４に送り込まれた紙幣を下部挟持バネ１６５と下部係止板部１６２との間に案内する。上部ガイド部材１９３は、図示略のガイド付勢スプリングにより上部係止板部１６１に当接する方向に付勢されており、下部ガイド部材１９４は、図示略のガイド付勢スプリングにより下部係止板部１６２に当接する方向に付勢されている。
【００６５】
図１４に示すように、カセット１８には、前壁部１５７の内側の開口部１５４とは反対側に支持軸２０１が箱体１５１に対して位置固定で設けられており、この支持軸２０１はリンクアーム２０２の一端を回転可能に支持している。リンクアーム２０２の他端には、係合軸２０３がリンクアーム２０２に対し位置固定で設けられており、係合軸２０３は、板状のビルプレス２０４の開口部１５４側に設けられた左右方向に長い長穴２０５に移動可能に係合されている。
【００６６】
ビルプレス２０４の開口部１５４とは反対側には支持軸２１１がビルプレス２０４に対して位置固定で設けられており、この支持軸２１１はリンクアーム２１２の一端を回転可能に支持している。リンクアーム２１２の他端には、係合軸２１３がリンクアーム２１２に対し位置固定で設けられており、係合軸２１３は、前壁部１５７の内側の開口部１５４側に設けられた左右方向に長い長穴２１５に移動可能に係合されている。
【００６７】
リンクアーム２０２，２１２はそれぞれの中間位置において連結軸２１８で回転可能に連結されている。連結軸２１８およびリンクアーム２０２，２１２を含むＸ字状のビルプレスリンク２１９によってビルプレス２０４は、前壁部１５７と平行をなした状態のまま前壁部１５７に対して近接および離間する。ビルプレス２０４は、図示略のビルプレス付勢スプリングによって、図１７に示す上部係止板部１６１および下部係止板部１６２に近接する方向に付勢されている。ビルプレス２０４は、図示略のビルプレス付勢スプリングの付勢力によって、図１７（ａ）に示すように紙幣Ｂを上部係止板部１６１および下部係止板部１６２とで挟持する。
【００６８】
図１７（ｂ）に示すように、上部係止板部１６１および下部係止板部１６２と、上部挟持バネ１６４および下部挟持バネ１６５との間が、開口部１５４に近い側で紙幣Ｂを収納する一次収納部２２５となっており、上部係止板部１６１および下部係止板部１６２と、ビルプレス２０４との間が、開口部１５４より遠い側で紙幣Ｂを収納する二次収納部２２６となっている。言い換えれば、上部係止板部１６１および下部係止板部１６２は、箱体１５１内を、上部係止板部１６１および下部係止板部１６２よりも機体後側の一次収納部２２５と、上部係止板部１６１および下部係止板部１６２よりも機体前側の二次収納部２２６とに仕切ることになる。これら一次収納部２２５と二次収納部２２６とは隣接しており、これらが、開口部１５４に送り込まれた紙幣Ｂを収納する収納部２２７を構成している。
【００６９】
プッシャ１７４は、図１４に示すように最も後壁部１５８に近づいた状態で開口部１５４よりも後壁部１５８側に位置しており、この位置が開口部１５４に送り込まれた紙幣を収納部２２７に収納可能とする開口位置となっている。
【００７０】
図１７（ａ）に示すようにプッシャ１７４が開口位置に位置する状態で、開口部１５４に送り込まれた紙幣は、図１７（ｂ）に示すように上部挟持バネ１６４および下部挟持バネ１６５と、上部係止板部１６１および下部係止板部１６２とに挟持されて、まず一次収納部２２５に収納されることになる。その後、プッシャ１７４が、図１４に示す押圧機構１９７により押圧されて、図１７（ｃ）に示すように二次収納部２２６側に移動すると、一次収納部２２５にあった紙幣Ｂを上部係止板部１６１および下部係止板部１６２を越えるように二次収納部２２６に押し出し、上部係止板部１６１および下部係止板部１６２とビルプレス２０４とに既に挟持されていた紙幣Ｂに重ね合わせて、これら紙幣Ｂをビルプレス２０４とで挟持する。
【００７１】
そして、図１４に示す押圧機構１９７が退避すると、図１７（ｄ）に示すように、プッシャ１７４がプッシャ付勢スプリングの付勢力で開口位置に戻り、ビルプレス２０４がビルプレス付勢スプリングの付勢力で二次収納部２２６の紙幣Ｂを上部係止板部１６１および下部係止板部１６２とで挟持する状態になり、二次収納部２２６のみに紙幣Ｂを収納する状態になる。
【００７２】
図１４に示すように、カセット１８には、後壁部１５８の内側に、導入側壁部１５５と壁部１５６とを結ぶ方向に移動可能な規制部材２３１が設けられている。規制部材２３１は、図１８（ａ）に示すように、導入側壁部１５５側の先端部２３２が後壁部１５８の導入側壁部１５５側に設けられた開口溝２３３から外部に露出している。規制部材２３１は、図１８（ａ）に示すように開口溝２３３内に配置される長さを最大とする規制位置と、図１８（ｂ）に示すように開口溝２３３内に配置される長さを最小とする規制解除位置との間で移動する。
【００７３】
図１９に示すように、規制部材２３１と後壁部１５８との間には、規制部材２３１を、図１９に示す規制位置の方向に付勢する引っ張りコイルバネである規制部材付勢スプリング２３５（付勢部材）が介装されている。規制部材２３１は、規制部材付勢スプリング２３５の付勢力のみを受ける状態では、図１９に示す規制位置に位置して図示略のストッパに当接する。
【００７４】
規制部材２３１には、後壁部１５８とは反対側に突出する突出片部２３７が設けられている。図１４に示すようにカセット１８がカセット装着部８２に装着された装着状態では、規制部材２３１がカセット装着部８２に設けられた規制解除部２４１に押圧されて規制解除位置にあり、このとき、突出片部２３７はプッシャリンク１８９の連結軸１８８から開口部１５４とは反対側に離間している。この状態で、押圧機構１９７が退避していると、プッシャ１７４がプッシャ付勢スプリングの付勢力で上記した開口位置に位置する。
【００７５】
この状態から、規制解除部２４１の押圧が解除されて、規制部材２３１が、規制部材付勢スプリング２３５の付勢力で、開口部１５４側の規制位置に移動するとき、突出片部２３７が、移動方向の後側ほど後壁部１５８から離れるように傾斜する傾斜面２３８でプッシャリンク１８９の連結軸１８８に当接して、連結軸１８８をプッシャ付勢スプリングの付勢力に抗して後壁部１５８から離れる方向に移動させることになり、図１９に示すように規制部材２３１が規制位置に位置すると、突出片部２３７が後壁部１５８とは反対側の後壁部１５８と平行な頂面２３９で連結軸２１８を後壁部１５８から離れた状態に支持する。このとき、プッシャ１７４は、プッシャリンク１８９によって、開口部１５４と収納部２２７の一次収納部２２５との間に介在する閉鎖位置に位置することになる。
【００７６】
つまり、プッシャ１７４は、開口部１５４に送り込まれた紙幣Ｂを収納部２２７の一次収納部２２５に収納可能とする図１３（ｂ），図１４，図１６に示す開口位置と、開口部１５４と収納部２２７との間に介在して開口部１５４から収納部２２７への目視およびアクセスの邪魔板となる図１３（ａ），図１９に示す閉鎖位置との間で移動可能となっている。さらに、プッシャ１７４は、図１７（ｃ）に示すように収納部２２７の二次収納部２２６側まで移動可能となっている。規制部材２３１は、図１９に示すようにプッシャ１７４を閉鎖位置に位置させる規制位置と、図１４に示すようにプッシャ１７４を開口位置に位置させる規制解除位置との間で移動可能となっている。
【００７７】
カセット１８は、上記したように引出体本体部８０のカセット装着部８２に対して導入側壁部１５５を先頭にして水平に押し込まれることになり、その結果、カセット１８のカセット装着部８２への装着方向と規制部材２３１の移動方向とが一致する。また、図１９に示す規制位置にある規制部材２３１は、図１４に示す規制解除位置にある規制部材２３１よりも導入側壁部１５５側に位置することになり、よって規制位置にある規制部材２３１は、規制解除位置にある規制部材２３１よりもカセット１８のカセット装着部８２への装着方向先側に位置する。
【００７８】
図１４に示すように、引出体本体部８０のカセット装着部８２には、カセット１８が導入側壁部１５５を先頭にして処理機右方から処理機左方に水平に押し込まれると、カセット１８の規制部材２３１の先端部２３２に当接して、規制部材２３１を規制部材付勢スプリング２３５の付勢力に抗して移動させて規制解除位置に位置させる上記した規制解除部２４１が設けられている。図１４に示すように規制解除部２４１が規制部材２３１を規制解除位置に位置させるまでカセット１８がカセット装着部８２に押し込まれると、図６，図９に示すようにロック機構８４の係合部材１０１の係合部１１２が凹部１１４に係合し、カセット１８を装着位置にロックすることになる。
【００７９】
図１４に示すように、規制解除部２４１は、装着状態にあるカセット１８の規制部材２３１と係合して規制部材２３１を規制解除位置に位置させるものであり、カセット１８の装着状態への移動でカセット１８の箱体１５１に対し相対移動することになり、相対移動する箱体１５１に対し、規制部材２３１に当接してこれを相対的に停止させる。このようにして、規制解除部２４１は、カセット１８の装着状態への移動を利用して規制部材２３１を箱体１５１に対して移動させる。
【００８０】
カセット１８が図１４に示す装着状態にあるとき、規制部材付勢スプリング２３５が伸びていて弾性エネルギを高めた状態にある。この装着状態から、図８，図１０に示すようにロック機構８４の係合部材１０１の係合部１１２が凹部１１４から抜け出すと、図１４に示すように伸びた状態にある規制部材付勢スプリング２３５がその弾性エネルギによって縮んで規制部材２３１を開口部１５４側の規制解除位置に向け移動させることになる。その結果、規制部材２３１が、プッシャリンク１８９を押圧してプッシャ１７４を閉鎖位置に位置させるとともに、規制解除部２４１を押圧して、カセット１８をカセット装着部８２から、図５に示すように処理機右方に押し出す。
【００８１】
以上に述べた構成の本実施形態の紙幣処理機１１の各処理別の作動を説明する。
「入金処理」
入金処理時は、ＰＯＳレジ５０の制御部６６からの指令に基づいて、紙幣処理機１１が入金処理を行うための入金動作モードとなり、入金部１５に紙幣Ｂが挿入可能である旨を示すため表示ランプ４３を点灯または点滅させる。この状態で、紙幣Ｂが、長辺を上端および下端とする姿勢で、上端開口部１５ａから入金部１５に挿入されることになる。紙幣Ｂが複数枚ある場合には厚さ方向および集積方向を機体前後方向にして集積させた状態で、上端開口部１５ａから入金部１５に挿入される。そして、上端開口部１５ａから入金部１５に紙幣Ｂが挿入されたことを紙幣検知センサ１５Ｓが検出すると、制御部６６は、入金部１５から紙幣Ｂを一枚ずつ分離して側方の図２に示す主搬送路２８に送り出す。制御部６６は、各紙幣Ｂの入金部１５から主搬送路２８への送り出し完了を紙幣検知センサＳ１の検出結果から判断する。
【００８２】
主搬送路２８に送り出された紙幣Ｂは、搬送ローラ対Ｒ１〜Ｒ１０の正転駆動によって主搬送路２８上を入金部１５から還流庫２０〜２２に向かって搬送され、その途中、分岐搬送路２９を越えた位置（還流庫２０〜２２よりも手前）で識別部４０により入金の可不可および金種が識別されることになる。識別部４０で入金可能と識別された紙幣Ｂは、制御部６６が還流庫２０〜２２用の振分部３２Ｇ〜３４Ｇのうち該当する金種用のものを駆動して、金種の還流庫２０〜２２のうちの該当する金種のものに収納させる。
【００８３】
具体的には、紙幣Ｂが入金可能な千円券紙幣であった場合、制御部６６は、この紙幣Ｂが重送検知センサＳ３で検出されるタイミングに基づいて振分部３２Ｇを駆動して、この紙幣Ｂを搬送ローラ対Ｒ６の駆動で分岐搬送路３２に送り込み、ローラ３２Ｒａ，３２Ｒｂの駆動で還流庫２０に収納する。制御部６６は、この還流庫２０への各紙幣Ｂの収納の完了を紙幣検知センサ３２Ｓの検出結果から判断する。
【００８４】
また、紙幣Ｂが入金可能な五千円券紙幣であった場合、制御部６６は、この紙幣Ｂが重送検知センサＳ４で検出されるタイミングに基づいて振分部３３Ｇを駆動して、この紙幣Ｂを搬送ローラ対Ｒ７の駆動で分岐搬送路３３に送り込み、ローラ３３Ｒａ，３３Ｒｂの駆動で還流庫２１に収納する。制御部６６は、この還流庫２１への各紙幣Ｂの収納の完了を紙幣検知センサ３３Ｓの検出結果から判断する。
【００８５】
また、紙幣Ｂが入金可能な万円券紙幣であった場合、制御部６６は、この紙幣Ｂが重送検知センサＳ５で検出されるタイミングに基づいて振分部３４Ｇを駆動して、この紙幣Ｂを搬送ローラ対Ｒ８の駆動で分岐搬送路３４に送り込み、ローラ３４Ｒａ，３４Ｒｂの駆動で還流庫２２に収納する。制御部６６は、この還流庫２２への各紙幣Ｂの収納の完了を紙幣検知センサ３４Ｓの検出結果から判断する。
【００８６】
他方、識別部４０で入金不可と識別された紙幣Ｂは、搬送ローラ対Ｒ１〜Ｒ１０の逆転駆動によって主搬送路２８上を上記とは逆方向に搬送される。制御部６６は、識別部４０の検出に基づくタイミングで振分部２９Ｇを駆動してこの紙幣Ｂを搬送ローラ対Ｒ２の駆動で分岐搬送路２９に送り込んでローラ対２９Ｒの駆動で出金部１６に搬送する。制御部６６は、この出金部１６への各紙幣Ｂの送り込みの完了を紙幣検知センサ２９Ｓの検出結果から判断する。
【００８７】
入金部１５の紙幣Ｂがすべて、還流庫２０〜２２および出金部１６のいずれかに搬送されると、制御部６６は、出金部１６に紙幣Ｂがある場合には、出金部１６により紙幣Ｂを上端開口部１６ａから機外に取り出し可能に突出させる。
【００８８】
「出金処理」
出金処理時には、ＰＯＳレジ５０の制御部６６からの指令に基づいて、紙幣処理機１１が出金処理を行うための出金動作モードとなり、搬送ローラ対Ｒ１〜Ｒ１０の逆転駆動によって、還流庫２０〜２２のいずれか一つから紙幣Ｂを分岐搬送路３２〜３４の対応するものおよび主搬送路２８を介して出金部１６に向けて搬送することになる。還流庫２０から紙幣Ｂを繰り出す場合、紙幣Ｂを、蹴出ローラ２０Ｒがローラ３２Ｒａ，３２Ｒｂに向け蹴り出し、ローラ３２Ｒｂで一枚に分離しながらローラ３２Ｒａが分岐搬送路３２に繰り出す。還流庫２１から紙幣Ｂを繰り出す場合、紙幣Ｂを、蹴出ローラ２１Ｒがローラ３３Ｒａ，３３Ｒｂに向け蹴り出し、ローラ３３Ｒｂで一枚に分離しながらローラ３３Ｒａが分岐搬送路３３に繰り出す。還流庫２２から紙幣Ｂを繰り出す場合、蹴出ローラ２２Ｒが紙幣Ｂをローラ３４Ｒａ，３４Ｒｂに向け蹴り出し、ローラ３４Ｒｂで一枚に分離しながらローラ３４Ｒａが分岐搬送路３４に繰り出す。
【００８９】
そして、紙幣Ｂは、主搬送路２８での搬送中に、重送検知センサＳ３〜Ｓ５のうちの通過するもので重送の有無が検知されることになる。制御部６６は、重送でない紙幣Ｂを、識別部４０の検出に基づくタイミングで振分部２９Ｇを駆動することにより分岐搬送路２９を介して出金部１６に送り込む。制御部６６は、この出金部１６への各紙幣Ｂの送り込みの完了を紙幣検知センサ２９Ｓの検出結果から判断する。
【００９０】
他方、制御部６６は、重送の紙幣Ｂを、搬送ローラ対Ｒ１〜Ｒ１０の正転駆動によって、主搬送路２８で出金リジェクト庫２３の方向に搬送し出金リジェクト庫２３に収納させる。制御部６６は、この出金リジェクト庫２３への各紙幣Ｂの収納の完了を紙幣検知センサＳ２の検出結果から判断する。
【００９１】
還流庫２０〜２２から出金部１６への紙幣Ｂの搬送を適宜繰り返すことで、出金する全金種の全枚数の紙幣Ｂが出金部１６に送り込まれると、制御部６６は、出金部１６により紙幣Ｂを上端開口部１６ａから突出させて機外に取り出し可能な状態とする。そして、出金部１６から紙幣Ｂが取り出し可能である旨を示すため表示ランプ４４を点灯または点滅させる。
【００９２】
「回収処理」
回収処理時には、ＰＯＳレジ５０の入力操作部６０へ回収処理を行うことを選択する操作入力がなされる。すると、ＰＯＳレジ５０の制御部６６からの指令に基づいて、紙幣処理機１１が回収処理を行うための回収処理モードとなる。回収処理モードで、制御部６６は、還流庫２０〜２２のいずれか一つの回収対象庫から紙幣Ｂを出金処理と同様にして主搬送路２８に繰り出し、主搬送路２８を介してカセット１８側に向けて搬送する。主搬送路２８の搬送中に重送検知センサＳ３〜Ｓ５のうち紙幣Ｂが通過するものが紙幣Ｂの重送を検知することになり、制御部６６は、重送でない紙幣Ｂを、搬送ローラ対Ｒ４および振分部３０Ｇで分岐搬送路３０に送り込み、ローラ対３０Ｒでカセット１８に収納する。制御部６６は、このカセット１８への各紙幣Ｂの収納の完了を紙幣検知センサ３０Ｓの検出結果から判断する。
【００９３】
他方、制御部６６は、重送の紙幣Ｂを、搬送ローラ対Ｒ１〜Ｒ１０の正転駆動によって、主搬送路２８で出金リジェクト庫２３に向けて搬送し出金リジェクト庫２３に収納する。制御部６６は、この出金リジェクト庫２３への各紙幣Ｂの収納の完了を紙幣検知センサＳ２の検出結果から判断する。
【００９４】
ここで、回収処理時に、図１４に示すようにカセット１８は、引出体本体部８０のカセット装着部８２に装着状態にあり、引出体本体部８０は、図１に示すように筐体７５に装填状態にある。このため、図１４に示すように、カセット１８は規制部材２３１が規制解除位置に位置している。よって、プッシャ１７４は、押圧機構１９７により押圧されない状態では、開口部１５４に送り込まれた紙幣を収納部２２７の一次収納部２２５に収納可能とする開口位置に位置している。よって、この状態で、ローラ対３０Ｒで開口部１５４に送り込まれた紙幣は、図１７（ｂ）に示すように、上部係止板部１６１および下部係止板部１６２と、上部挟持バネ１６４および下部挟持バネ１６５とに挟持されて一次収納部２２５に収納される。
【００９５】
その後、プッシャ１７４は、適宜のタイミングで、図１４に示すプッシャリンク１８９を介して押圧機構１９７に押圧されることになり、これにより、図１７（ｃ）に示すように、二次収納部２２６側に移動する。すると、プッシャ１７４は、一次収納部２２５に収納していた紙幣Ｂを上部係止板部１６１および下部係止板部１６２を越えるように二次収納部２２６に押し出し、上部係止板部１６１および下部係止板部１６２とビルプレス２０４とに既に挟持されていた紙幣Ｂに重ね合わせて、これら紙幣Ｂをビルプレス２０４とで挟持する。そして、押圧機構１９７が退避すると、図１７（ｄ）に示すように、プッシャ１７４がプッシャ付勢スプリングの付勢力で開口位置に戻り、ビルプレス２０４がビルプレス付勢スプリングの付勢力で二次収納部２２６の紙幣Ｂを上部係止板部１６１および下部係止板部１６２とで挟持する状態になって、二次収納部２２６のみに紙幣Ｂを収納する状態になる。
【００９６】
還流庫２０〜２２のうちの一つの回収対象庫のすべての紙幣Ｂが、カセット１８または出金リジェクト庫２３に送り込まれると、この回収対象庫についての回収処理を終了する。これにより、回収対象庫の金種の紙幣が、紙幣検知センサ３０Ｓで計数された枚数だけカセット１８に送り込まれる。
【００９７】
回収対象庫についての回収処理を終了すると、ＰＯＳレジ５０の制御部６６は、筐体７５に対する引出体７６のキー７２によるロック解除を促す表示をＰＯＳレジ５０の入力表示部６１および紙幣処理機１１の表示部４１に表示させる。
【００９８】
これにより、操作者は、図１に示すキー７２により筐体７５に対する引出体７６のロックを解除し、取っ手７７を把持して引出体７６を筐体７５から装置前方に引き出す。図４に示すようにカセット１８が引出体本体部８０のカセット装着部８２から取り外し可能な位置まで引出体７６が筐体７５から引き出されると、図示略の引出検知センサがこれを検知する。すると、ＰＯＳレジ５０の制御部６６は、それまで図６に示すロック側状態にあった第１ロック部８５のソレノイド９３を電気的に駆動して、第１ロック部８５を図７に示す解除側状態に切り替える。
【００９９】
ここで、図６に示すようにソレノイド９３が電気的に駆動されていないロック側状態では、プランジャ９２がソレノイド本体９１から最も突出しており、これにより、規制体９６の規制片部９８がロック側状態にある第２ロック部８６の解除側状態への切り替えを規制している。つまり、規制体９６の規制片部９８が、第２ロック部８６の係合解除部材１２１の規制当接部１２８に当接して係合解除部材１２１の下方への移動を規制する。これにより、カセット１８がカセット装着部８２から取り外し可能な位置まで引出体７６が筐体７５から引き出される前に、係合解除部材１２１が押圧操作されてロック機構８４がロック解除状態になることを規制する。
【０１００】
第１ロック部８５のソレノイド９３は、電気的に駆動されると、図７に示すようにプランジャ９２をソレノイド本体９１内に最も引き込むことになり、これにより、規制体９６を支持軸９５を中心に回動させて規制片部９８を係合解除部材１２１の規制当接部１２８の鉛直下方から機体後側に移動させる。これにより、係合解除部材１２１の下方移動つまり第２ロック部８６のロック側状態から解除側状態への切り替えが許容される状態になる。なお、この状態でも、カセット１８は、係合部材１０１によって引出体本体部８０にロックされた装着状態に維持されている。
【０１０１】
制御部６６は、このように第１ロック部８５のソレノイド９３を駆動して第１ロック部８５を解除側状態にすると、紙幣処理機１１の図１に示す表示部４１に、カセット１８の取り外し操作である操作ボタン部１２２の押圧操作が可能である旨のテキスト表示を表示させるとともに、入金部１５の側部の表示ランプ４３と出金部１６の側部の表示ランプ４４とを点滅させて、操作者に報知を行う。言い換えれば、表示部４１および表示ランプ４３，４４は、第１ロック部８５が解除側状態にあるとき、第２ロック部８６のロック側状態から解除側状態への切り替えが可能な旨を通知する。
【０１０２】
この状態で、操作者が、図７から図８に示すように、第２ロック部８６の係合解除部材１２１の操作ボタン部１２２を下方に押圧すると、係合解除部材１２１が下方に移動し、係合解除部材１２１の突出部１２５の傾斜下面１２６が、係合部材１０１の突出部１１０の傾斜上面１１１に当接してこれを下方に押圧する。すると、傾斜下面１２６および傾斜上面１１１の傾斜によって、係合部材１０１がカセット１８に対し機体後側に移動し、その係合部１１２がカセット１８の凹部１１４から抜け出す。これにより、ロック機構８４は、カセット１８の引出体本体部８０に対するロックを解除する。
【０１０３】
すると、カセット１８は、規制部材付勢スプリング２３５が規制部材２３１を規制解除位置に向け移動させることになり、その結果、規制部材２３１が規制解除部２４１を押圧して、カセット１８を引出体本体部８０よりも処理機右方に図５に示すように押し出す。その結果、カセット１８は引出体本体部８０から所定量右方に一部が突出する。これにより、図８に示すカセット１８の凹部１１４も係合部材１０１の係合部１１２から処理機右方にずれることになる。ここで、規制部材付勢スプリング２３５および規制部材２３１は、カセット１８を、これが引出体本体部８０のカセット装着部８２に装着状態にないことを目視で認識できる程度に部分的に飛び出させるものであり、カセット１８の全体を引出体本体部８０から飛び出させることはない。
【０１０４】
カセット１８が、規制部材付勢スプリング２３５の付勢力で引出体本体部８０から突出すると、この位置では、装置前方に移動する係合部材１０１の係合部１１２に対して逃げる形状をなしており、よって、この状態で、操作者が係合解除部材１２１の操作ボタン部１２２の押圧操作をやめると、係合部材１０１が係合スプリング１１５の付勢力で機体前側に移動する。その際に、係合部材１０１の突出部１１０の傾斜上面１１１が係合解除部材１２１の突出部１２５の傾斜下面１２６に当接してこれを上方に押圧して係合解除部材１２１を上昇させる。
【０１０５】
また、上記のようにカセット１８が規制部材付勢スプリング２３５の付勢力で引出体本体部８０から突出すると、図示略のカセット装着検知センサがこれを検知することになる。すると、制御部６６は、第１ロック部８５のソレノイド９３への電気的な駆動を停止させるとともに、表示部４１および表示ランプ４３，４４による報知を終了する。これにより、ソレノイド９３は、ソレノイド本体９１内に設けられた図示略の内部スプリングの付勢力でプランジャ９２をソレノイド本体９１から突出させることになり、規制体９６を支持軸９５を中心に回動させる。このとき、操作者が係合解除部材１２１の操作ボタン部１２２の押圧操作をやめていなければ（図８参照）、ソレノイド本体９１の内部スプリングの付勢力で規制体９６が規制片部９８を係合解除部材１２１の規制当接部１２８に機体後側から当接させて停止することになる。
【０１０６】
この状態から操作者が係合解除部材１２１の操作ボタン部１２２の押圧操作をやめて、上記のように係合解除部材１２１を係合スプリング１１５の付勢力で上昇させるか、あるいは、既に操作ボタン部１２２の押圧操作をやめて係合解除部材１２１を上昇させていると、ソレノイド本体９１の内部スプリングの付勢力で規制体９６が支持軸９５を中心に回動して規制片部９８を係合解除部材１２１の規制当接部１２８の鉛直下方に配置する（図７から図６への移動を参照）。これにより、第１ロック部８５がロック側状態となり、係合解除部材１２１の下方移動つまり第２ロック部８６のロック側状態から解除側状態への切り替えを規制する状態になる。
【０１０７】
操作者は、引出体本体部８０から一部が突出したカセット１８を、その上部の図５に示す取っ手１３７を持ってさらに引き出して引出体本体部８０から取り外す。すると、規制部材２３１は、引出体本体部８０の規制解除部２４１から離れることになり、規制部材付勢スプリング２３５の付勢力によって規制位置に位置する。その結果、規制部材２３１は、突出片部２３７がプッシャリンク１８９の連結軸１８８をプッシャ付勢スプリングの付勢力に抗して後壁部１５８から離れる方向に移動させており、プッシャ１７４を、図１９に示すように、開口部１５４と収納部２２７の一次収納部２２５との間に介在する閉鎖位置に位置させることになる。よって、開口部１５４から収納部２２７の目視およびアクセスを邪魔することになる。カセット１８内の紙幣を取り出す場合には、図１２に示すキーシリンダ１５９を図示略のキーで解錠し、天井部１５２を開いて、箱体１５１内の紙幣を取り出すことになる。
【０１０８】
カセット１８を引出体本体部８０のカセット装着部８２に装着する際に、操作者は、カセット１８をカセット装着部８２に処理機右方から左方に水平に押し込む。すると、カセット１８が係合部材１０１の係合部１１２に当接して、係合部材１０１を係合スプリング１１５の付勢力に抗して機体後側に移動させることになり、一旦係合部材１０１を機体後側に逃がす。その際に、係合解除部材１２１は、規制体９６の規制片部９８で下降が規制されているため、下降することはない（図６参照）。そして、カセット１８の凹部１１４の位置が係合部材１０１の係合部１１２に合うと、係合部材１０１が係合スプリング１１５の付勢力で移動して係合部１１２を凹部１１４に入り込ませ、図６に示すように引出体本体部８０に対しカセット１８を取り外し不可にロックする。これにより、カセット１８が係合部材１０１でロックされた装着状態になる。その際に、図１４に示すように、引出体本体部８０の規制解除部２４１が、規制部材２３１に当接して、これを、規制部材付勢スプリング２３５の付勢力に抗して移動させて規制解除位置に位置させる。これにより、プッシャ１７４が開口部１５４に送り込まれた紙幣を収納部２２７の一次収納部２２５に収納可能とする開口位置に位置する。
【０１０９】
ここで、停電や装置故障等で、制御部６６がソレノイド９３を電気的に駆動できない状態にある場合、操作者は、図９に示すキー１３１を、図１０に示すようにキーシリンダ１３４に挿入して開側に回転操作する。すると、キーシリンダ１３４の押圧片部１３３が、支持部材１０５の押圧当接部１３５に当接してこれを機体前側に移動させる。これにより、支持部材１０５は、支持軸１０４を中心に回動して下部の連結軸１０６を機体後側に移動させることになる。つまり、支持部材１０５は、この連結軸１０６を介して連結された係合部材１０１を係合スプリング１１５の付勢力に抗して機体後側に移動させて、その係合部１１２をカセット１８の凹部１１４から抜け出させる。これにより、ロック機構８４は、カセット１８の引出体本体部８０に対するロックを解除する。すると、上記と同様に、カセット１８は規制部材付勢スプリング２３５の付勢力で引出体本体部８０から所定量右方に一部が突出することになる。
【０１１０】
キー１３１を、キーシリンダ１３４に挿入して閉側に回転操作すると、キーシリンダ１３４の押圧片部１３３が、支持部材１０５の押圧当接部１３５から離れる方向に移動する。すると、係合スプリング１１５の付勢力で係合部材１０１が、支持部材１０５を支持軸１０４を中心に回動させながら機体前側に移動する。その後、カセット１８を引出体本体部８０に装着する際は、上記と同様の作動となる。
【０１１１】
「装着処理」
すべての還流庫２０〜２２から紙幣Ｂを回収する全回収があった場合や還流庫２０〜２２の紙幣Ｂが不足した場合に、釣銭準備金を装着する装着処理が行われるが、この装着処理は、上記した入金処理とほぼ同様に行われる。装着処理時には、図示略の操作部へ装着処理を行うことを選択する操作入力がなされることになり、これにより紙幣処理機１１が装着処理を行うための装着動作モードとなる。
【０１１２】
以上に述べた本実施形態の紙幣処理機１１によれば、処理機本体８１からカセット１８を取り外すと、カセット１８の規制部材２３１が規制部材付勢スプリング２３５の付勢力によって規制位置に位置することになり、その結果、プッシャ１７４が開口部１５４と収納部２２７の一次収納部２２５との間に介在する閉鎖位置に位置する。その結果、プッシャ１７４が邪魔板となって、開口部１５４から収納部２２７の目視およびアクセスを困難にする。また、処理機本体８１にカセット１８を装着すると、処理機本体８１の規制解除部２４１が、規制部材２３１を規制部材付勢スプリング２３５の付勢力に抗して規制解除位置に位置させることになり、その結果、プッシャ１７４が、開口部１５４に送り込まれた紙幣を収納部２２７の一次収納部２２５に収納可能とする開口位置に位置して、処理機本体８１から収納部２２７への紙幣の収納を可能とする。よって、カセット１８は、処理機本体８１からの取り外し操作を行えば自動的に開口部１５４から収納部２２７へのアクセスの規制状態になり、処理機本体８１への装着操作を行えば自動的に開口部１５４から収納部２２７へのアクセス規制を解除する状態になる。よって、開口部１５４から収納部２２７へのアクセスの規制および規制の解除のためだけの操作を不要にできる。したがって、面倒な作業を伴わずにセキュリティ性を向上させることができる。
【０１１３】
また、開口部１５４に送り込まれた紙幣を収納部２２７の一次収納部２２５に収納可能とする開口位置と、開口部１５４と収納部２２７の一次収納部２２５との間に介在する閉鎖位置との間で移動可能な開閉部材が、一次収納部２２５の紙幣を二次収納部２２６へ押し出すプッシャ１７４であるため、開口部１５４から収納部２２７へのアクセス規制のためだけに必要な部品の点数を低減することができる。したがって、コスト増を抑制することができる。
【０１１４】
また、カセット１８の処理機本体８１への装着方向と規制部材２３１の移動方向とが一致しており、規制位置にある規制部材２３１は規制解除位置にある規制部材２３１よりもカセット１８の処理機本体８１への装着方向先側に位置するため、カセット１８を処理機本体８１へ装着する操作で、規制部材付勢スプリング２３５の付勢力に抗して規制部材２３１を規制解除位置に移動させることができ、プッシャ１７４を開口位置に位置させることができる。また、ロック機構８４によるカセット１８の処理機本体８１へのロックを解除すれば、規制部材付勢スプリング２３５が規制部材２３１を規制位置に向け移動させることになり、プッシャ１７４が閉鎖位置に位置して開口部１５４から収納部２２７へのアクセスを規制する状態になるとともに、規制部材付勢スプリング２３５が付勢力で規制部材２３１を介してカセット１８を処理機本体８１に対し取り外し方向に移動させることになる。カセット１８が処理機本体８１に対し取り外し方向に移動することで、カセット１８が取り外し可能な状態にあることを操作者に認識させることができる。
【符号の説明】
【０１１５】
１１  紙幣処理機
１８  カセット（紙幣収納カセット）
８１  処理機本体
１５４  開口部
１７４  プッシャ（開閉部材）
２２７  収納部
２２５  一次収納部
２２６  二次収納部
２３１  規制部材
２３５  規制部材付勢スプリング（付勢部材）
２４１  規制解除部
Ｂ  紙幣
【図１】
0006541261.tif 000002
【図２】
0006541261.tif 000003
【図３】
0006541261.tif 000004
【図４】
0006541261.tif 000005
【図５】
0006541261.tif 000006
【図６】
0006541261.tif 000007
【図７】
0006541261.tif 000008
【図８】
0006541261.tif 000009
【図９】
0006541261.tif 000010
【図１０】
0006541261.tif 000011
【図１１】
0006541261.tif 000012
【図１２】
0006541261.tif 000013
【図１３】
0006541261.tif 000014
【図１４】
0006541261.tif 000015
【図１５】
0006541261.tif 000016
【図１６】
0006541261.tif 000017
【図１７】
0006541261.tif 000018
【図１８】
0006541261.tif 000019
【図１９】
0006541261.tif 000020